(57)【要約】【課題】  従来技術の釣外し具では一度外れた釣針の釣先が再度魚体内の他の部分に引っかかりやすい欠点があり、改良具は構造が複雑であった。本考案では針はずし器具の構造が単純であること、確実に針はずしができること、一度はずした針が口の中で再び刺らないこと、操作が簡単で初心者でも針はずしが出来ること、つり上げた魚を傷つけないこと、などの条件を備えた釣針外し具を提供する。【解決手段】  細長く平坦な篦状先端部を持ち、該先端部の最先端寄りに窓を有し、該窓は切れ込み溝によって側方に開口し、窓より手元部は該窓の径よりも幅広であり、該手元部が２０〜８０度の角度を持って屈曲している事を特徴とする魚釣針取外し器具を提供することで、上記課題は解決可能となり、初心者でも確実に針はずしができる。【選択図】  図１
0003137746.tif 000002
【実用新案登録請求の範囲】
【請求項１】
先端部、直な軸部、手元把持部からなる魚釣針取外し器具において、先端部は細長く平坦な篦状であり最先端寄りに窓を有し、該窓は切れ込み溝によって側方に開口し、先端部の軸部寄りは該窓の横径より幅広であり軸部の延長線上に対して２０〜８０度の角度で屈曲し、先端部は軸部を介して手元把持部に繋がる事を特徴とする魚釣針外し具。
【請求項２】
前記軸部が表面平滑にして透光性を有すると共に手元把持部に光源を設けたことを特徴とする請求項１記載の魚釣針外し具。
【請求項３】
前記平坦な篦状の少なくとも一部が粗面であることを特徴とする請求項１又は２記載の魚釣針外し具。
【考案の詳細な説明】
【技術分野】
【０００１】
本考案は、魚釣りの際に飲み込まれた釣針を魚の喉の奥から魚を傷めることなく外す魚釣針外し具に関する。
【背景技術】
【０００２】
一般的に用いられている釣針外し具は鋼棒の先端に糸の通る切れ込みのある環をつけた形をしており、糸を環に通して針まで導き、針を喉の奥に押し込み、先端を押したり捻ったりすることによってかかった釣針を外している。
【０００３】
従来技術によって開発された釣針外し具では魚の咽の奥深くに飲み込まれた釣針を肉眼で視認しにくいため、手探り状態で釣針を環に引っ掛ける操作を行っていたが、釣針が刺さった位置よりも釣針外し具を奥まで押し込みすぎたり、捻りすぎたりして魚を弱らせ、操作しにくい場合は危険な魚でも長時間手で触れなければならない、等の不都合があった。
【０００４】
更には、釣針の針先が魚の咽のどの方向に向いて刺さっているかを確認し難く、そのため、たとえ針をラジオペンチなどで確実に把持出来たにしても釣針外しのコツを判断するのが難しい上、魚の口の奥からはずした釣針を取り出す時に、釣針の針先が魚の口元を指しているため、いったん抜けた釣針がまた別の部分に再び刺さることが多く、一度で確実に釣針を外すことは事実上困難である、という問題点があった。
それらの問題点を解決するための工夫は特許文献１〜７等に記載されている。
【０００５】
【特許文献１】：特開２００４−２４８６４７
【特許文献２】：特開２０００−２０１６０９
【特許文献３】：特開平０７−２２７１８８号公報
【特許文献４】：特開平０７−１５５０９７号公報
【特許文献５】：登録実用新案第３０５７５７２号
【特許文献６】：登録実用新案第３０３９６８３号
【特許文献７】：登録実用新案第３０２０５９７号
【０００６】
これらの特許文献の内、一度外した針を手元に引き寄せるときに再び魚の喉の奥で引っかかる問題も既に指摘されていて、例えば特許文献１、特許文献２、特許文献５〜７等ではそれぞれに細かな工夫がなされている。しかしながらこれらの技術によると、バネを用いたり、溝を付けたり、複雑な構造であったり、初心者には取り扱いが難しいことがあった。
【０００７】
更に、例えば夜釣りにおいては魚の口の中の詳細を確認することは一層難しく、そのため盲目的で暴力的な釣針外し作業が行われ、釣り上げた魚を弱らす主原因になっていた。
【考案の開示】
【考案が解決しようとする課題】
【０００８】
本考案では、釣針外し具の構造が単純であること、確実に釣針を外すことができること、一度外した釣針が口の中で再び刺らないこと、操作が簡単で初心者でも釣針外しが出来ること、釣り上げた魚を過剰に傷つけないこと、短時間で釣針外しが行えることなどの条件を備えた魚釣針外し具を提供することを課題とする。
【課題を解決するための手段】
【０００９】
上記課題は、先端部、直な軸部、手元把持部からなる魚釣針取外し具において、先端部は細長く平坦な篦状であり最先端寄りに窓を有し、該窓は切れ込み溝によって側方に開口し、先端部の軸部寄りは該窓の横径より幅広であり軸部の延長線上に対して２０〜８０度の角度で屈曲し、先端部は軸部を介して手元把持部に繋がる事を特徴とする魚釣針取外し具を提供することで解決することが出来た。そして、手元把持部に光源を設けると共に、軸部を透光性にしてその表面を平滑にすることが好ましい。
【考案の効果】
【００１０】
この魚釣針取外し具では先端部が細長く平坦な篦状でそこに窓を設け、該窓の側方に開口してあるので、釣り糸はこの窓の中に入りやすく、従って、容易に針を外すことが出来ると共に先端部の軸部寄りは該窓の横径より幅広であり、且つ軸部の延長線上に対して２０〜８０度の角度で屈曲しているので、喉の奥で魚より外れた釣針先が魚釣針取外し具の先端部分に沿うように密着するので、そのまま引き抜いても他の場所に引っかからない。従って一度はずれた魚釣り針を引き出すときに再び刺さるという不都合を避けることが出来る。
この魚釣針取外し具において、手元部に光源を設けると共に透光性を持つ軸部を用い、その表面を平滑にすることによって魚の喉の奥を明るくすることができるので好ましく、（以下、光源を用いたものをライトガイド方式という）更に、前記平坦な篦状の少なくとも一部が粗面にすることによってよりこの部分で乱反射させることが出来、魚の口の中をより一層明るくすることが出来るので好ましい。
【考案を実施するための最良の形態】
【００１１】
本考案について詳細に述べる。
本考案の魚釣針外し具の基本的な形状は茶道に用いる茶杓様の如く先端が細長くてカーブした構造であって、魚釣針外し具の本体は先端部分、直な軸部及び手元把持部より成り、先端部分には細長く薄くて平坦な篦状部分があり、その最先端付近に窓を有する。その窓は側方からの切れ込みの溝（ガイド溝）によって開口し、糸を窓の内部に導くことが出来る。
【００１２】
細長い篦状先端部の窓より手元部は平坦である。この部分は魚の喉から外れた釣針の先端が押し当てられる部分に位置し窓にかかった釣針の先端を受け止めるため、窓のどの部分に釣針がかかろうとも釣り針の針先を受け得るように、少なくとも窓の径よりも幅広である。
本考案の魚釣針外し具を用いることによって、針は喉の奥深くに刺さっていても確実に外すことが出来るのみならず、一度はずれた針先は、それを引き出すときにおいて、決して再度引っかかるような事がないため、釣った魚には極力傷つけることなく速やかに、簡単に釣針はずし作業が出来る。
【００１３】
魚釣針外し具の全体の大きさは従来のものと大差なく、その先端部の篦状部分は幅４〜２０ｍｍ、厚み０．３〜４ｍｍで長さ１０〜８０ｍｍの範囲内の細長い形状であり、更には幅５〜１８ｍｍ、厚み０．６〜４ｍｍ、長さ１５〜６０ｍｍの範囲内で有ることが好ましい。そして、この篦状部分に側面から切り込み溝を持つ窓があけられている。篦状部分に設けた窓のサイズは径３〜１８ｍｍ、更には径５〜１０ｍｍの範囲内で有ることが好ましい。
【００１４】
該篦状先端部には最先端より８〜７０ｍｍの範囲内において２０〜８０度の角度をもって屈曲することを特徴とする。更に屈曲部の位置は最先端より１０〜３０ｍｍの範囲内にあることが好ましく、屈曲角度は更に２０〜７０度の範囲内であることが好ましい。屈曲角度の測定については後述する。
【００１５】
本考案の魚釣針外し具を構成する材質としては通常使用されている魚釣針外し具と同様に金属製、プラスチック製等でよく、特に限定される理由はないが、軽くて壊れにくく錆びにくいと言う点からステンレスなどの金属製が好ましい。ただ、魚の口内部を照明するためには魚釣針外し具の軸を透光性を持つ材質でその表面を平滑にする必要がある。理由は、光が軸部を通過するとき、散乱する光を軸部内面で全反射させるためである。もしも傷がついたり、或いは表面に凹凸があれば、そこで全反射が阻止され光が漏れるので、軸部の表面平滑さは必須となる。
【００１６】
透光性を持つ材質としては、例えばポリアクリル樹脂やポリカーボネート樹脂のような合成高分子材料より成る材質で構成することが必要である。表面が平滑であれば光は軸内部で全反射を繰り返して光量を減ずることなく、光を漏らすことなく先端まで到達する。
そして、先端の断端部分や窓部分及び表面が粗造（荒い）な部分から光が外部に出て、魚の口の中を選択的に照らすことが出来る。これは丁度、ライトガイド方式を取り入れた小児用の耳かき具に似た原理であるが、それを夜間の魚釣りにおける釣針外しに転用し、周囲に光を漏らす事無く釣針外しが可能とした。
【００１７】
より強度が大なる材質としては軸部に、例えば芯部にステンレス鋼のような金属を用い、その周囲を前記のポリアクリル樹脂やポリカーボネート樹脂のような透光性のあるプラスチック材で覆うと良い。このようにすることによって、手元把持部に設けた光源の微少な光を、軸部を全反射して魚の口の中まで誘導することが可能となり、魚の口の中が選択的に明るくなり、針先の確認が容易となって、昼間と同等に夜間においても魚釣り針外すしの確実な作業を行うことが出来る。
更に、軸部のみならず、先端部も透光性がある材質で作成されていれば、更に魚の口の中全体を明るくするのには好都合である。その場合は、軸部と先端部とを透光のある素材で一体化して製造するとよい。
【００１８】
本考案の釣針外し具を用いると、容易に魚の喉の奥から釣針を外す事が出来るとともに、先端部分を幅広で平坦な篦状にすることによって喉の奥で魚から外れた針先が釣針外し具の先端部分に沿うように密着するので、そのまま魚体内より引き抜いても他の場所に引っかからない。従って、一度はずれた針を引き出す時に再び刺さる、という不都合を避け得る。そして、手元部に光源を設け、更に、透光性を持つ軸部を用い、その表面を平滑にしたものは、魚の喉の奥を明るくすることが出来るので、刺さった魚釣り針を目視しながら外すことが出来るので一層便利である。
【００１９】
更に、本考案の釣針外し具を用いれば釣り上げた魚を弱らせることなく針を外すことが可能となるので、魚をその場で水の中に放す事が出来る。その結果、Catch and releaseを採用する釣りスポーツとしての趣旨に合致しており、自然保護の観点からも好まれる。
食用にする魚に於いても、魚を不必要に傷めることなく針をはずすことが出来るので生け簀に飼育可能となり、活魚の状態で消費者の眼前まで提供出来るので、同じ一尾の魚でも商品価値が高まる。
魚の種類によってはオコゼやアイゴの様に毒のある棘を持った魚がいる。これらの魚を釣り上げた際には針をはずすのに手間取ると毒棘に刺されることがあるが、本考案の釣針はずし具を用いることによってこの危険性を回避出来る。
夜間においては、釣針外し器具の手元に光源があれば、魚の口部分を至近距離で照らすことが可能となるので、過剰な光を用いて漁場に集まる魚に悪影響を与えることなく釣針外し作業を行うことが可能となる。特に、更に、軸部表面が平滑で透光性を有することによって必要部位を明るくすることが出来、釣針外し作業を容易に行うことが出来る。
【００２０】
本願考案にかかる魚釣針外し具の作用について述べる。
本願考案にかかる魚釣針外し具により魚に飲み込まれた釣針を外すには、従来技術でも使用されているような手順で、先端部分の側方から開けられた溝に沿って糸を窓に通す。そして糸を手元に引くことによって緊張させつつ釣針外し具を魚の口の中に挿入する。このようにして挿入してゆくと抵抗が生じて釣針外し具をそれ以上入らないところに達する。この時点で針は窓にかかった状態となる。そこで糸を引き緊張をかけつつ更にごく僅か力を込めて魚釣針外し具を更に先に進めることによって針先が喉の奥からはずれる。そしてそれと同時に、針先は魚釣針外し具の細長い篦状の平坦部分に押し当てられた状態となる。この状態で糸に緊張をかけ続けている限り、針先が横を向いて再び喉の奥に引っかかる、という事態は避けられる。このような状況下において、魚釣針外し具を引き出せば、魚を傷つけることなく確実に針を喉の奥深くから取り出すことが可能となる。特に夜釣りにおいては微少な光量で魚の口の中を選択的に照らしつつ釣針外しが出来る。
【００２１】
本考案にかかる魚釣り針の外し具の基本的な形状を斜視図として図１に示す。
図１において、魚釣針外し具の本体１は先端部分、直な軸部及び手元把持部６より成り、先端部分には細長く薄くて平坦な篦状部分７があり、その最先端付近に窓５を有する。その窓は側方からの切れ込みの溝（ガイド溝）４によって開口し、糸を窓５の内部に導くことが出来る。そして、先に述べたように該篦状先端部より８〜７０ｍｍの範囲内の位置に屈曲角度が２０〜８０度の屈曲部が存在するが、屈曲角度の測定方法を図２に示す。
【００２２】
図２において、屈曲部の角度θの測定方法は、手元の軸部分の接線をまっすぐに先端方向に伸ばした延長線と篦の先端部分の接線を手元方向に伸ばした延長線との交わる角度θを測定することによって行う。
【００２３】
本考案の釣針外し具の作用を図面をもって更に詳細に述べる。
ａ）図３には魚釣針外し具本体１の全体像を側面から観察した状態を示し、その先端にある窓に釣針２がかかった状態を示す。本体１の先端部には、針と糸を通す窓があり、窓は溝が付けられて側面に開口している。そして先端部分は篦状に細長くなっていて、篦状の横幅は少なくとも前述の窓の横径よりも広い。そして幅広の篦状部分の軸部分よりの所に図に示すとおりの屈曲部分を設けてある。本体１を側面から見ると、丁度、茶道の茶杓に酷似した形態を持つ。このような形状を持つ本考案の本体の先端部において溝からガイドされた糸３を窓に通し、それを引くことによって釣針２に続く糸３は手元方向に緊張を持たせるように引くことで釣針の針先が本体の先端部分で細長くて幅広の篦部分７に押し当てられ、その結果として糸に緊張がかけられている限りにおいては針先が篦状の先端部表面に押し当てられ、他に当たることがなくなり、はずれた針先が再び刺さることを防止することが可能となる。本体は長い棒状軸を持ち、その手元端は滑りにくい構造の手元把持部６が付けられ、取り扱い性が良いようになっている。手元把持部の材質は木でも金属であってもかまわないが、ライトガイド方式を採用する場合はこの部分に光源を組み込む。
【００２４】
ｂ）図４では、魚の喉の奥深くに飲み込まれた針に対して、どのようなアプローチで魚釣針外し具を進めるかに関しての魚と針と糸と、それに魚釣針外し具の関係を説明する。魚釣針外し具には先端に窓があり、その窓は側面から切り込み溝がある。そこで切り込み溝に沿わせて針を窓に中に通す。次に、糸を軽度に引き、緊張を持たせた状態で魚釣針外し具を魚の口腔内に進める。そして抵抗が生じたところで、糸の緊張をゆるめることなく魚釣針外し具を更に少し推し進めると針が喉の部分からはずれ、針先は図３で示したとおり、魚釣針外し具の篦部分に押し当てられた状態となる。
【００２５】
ｃ）図５では魚釣針外し具本体１の先端部分に針２が押し当てられた状態を示す。本体１の先端部分は細長い篦状となっていて、曲面を描くように屈曲していることを示す。糸３に緊張をかけて引き続けることによって針先８は篦状部分に押し当てられる。篦状部手元の平坦部の幅は窓の径よりも広いため、窓部から引き下げられた針先端部を必ず受け止めることが出来て他の方向に向くことがあり得ない構造であるので、再び針先が喉に刺さることは避けられる。針先８は篦部分の背面に押し当てられる設計であるが、針のサイズが大きくなれば、針先８が押し当てられる篦部分において、屈曲部を超えて本体の軸部分に至る懸念がある。このような大きな針をはずす場合には、それなりに大きく長いサイズの篦部分を持つ魚釣針外し具を使用し、決して針先部分８が屈曲部分を超えて本体１の軸部分にかからないようにする。
【００２６】
ｄ）図６では魚釣針外し具本体１の先端部を正面図を示す。先端部分は細長い篦状形態を示し、その最先端寄りに窓５をもつ。窓には溝４があって側方に開口している。針は矢印方向に引かれて針先８は細長い篦の手元側にある平坦部分に押し当てられる。この時、篦部分の幅は窓５の幅よりも大きくなるように設計してあることから、針先８は必ず篦部分の平坦部に押し当てられることとなる。
【実施例】
【００２７】
本考案の魚釣針外し具の使用例を実施例として示す。
実施例１
体長２５ｃｍのカレイをつり上げた時に使用した本考案の魚釣針外し具を用いた例を示す。釣り上げ時にはカレイは針を餌と共に喉の奥深くまで飲み込んでいた。カレイは一気に餌を飲み込む性質があるので、通常カレイが飲み込んだ針を外すのは至難の業となっていた。そこで、まず針に繋がる糸を先端部にあるガイド溝に沿わせて窓に通した。次に糸を適度に引いて緊張をかけつつ魚釣針外し具を魚の口の中に押し進めると、約４ｃｍ入ったところで軽い抵抗があった。そこで糸に緊張を持たせつつ更に魚釣針外し具を推し進めると、急に抵抗が無くなり、針先が魚の喉の奥ではずれた事が判った。そこで糸の緊張をゆるめないように軽く引きつつ魚釣針外し具を引き抜くと、針先は魚釣針外し具の先端にある細長い篦部分の背面に押し当てられていて、喉にかかることなく引き出すことが出来た。この操作によって魚を強く押さえつける事も、魚を過剰に傷付ける事もなく、操作をする者の指先を傷つける事もなく針はずしが可能であった。この間、約６秒であった。つり上げた魚は翌日も生け簀の中で元気であった。この結果、本考案の魚釣針外し具を用いることによって、針はずしが容易となり魚への損傷を最小限に押さえ得ることが判明した。
【００２８】
実施例２
夜釣りにおいてチヌ（黒鯛）をつり上げた際に本考案のライトガイド方式の魚釣針外し具の使用例を示す。チヌは通常は余り針を飲み込まないが、飲み込んだ場合は取り外し難い。そのため懐中電灯やヘッドライトを用いて照らしながら釣針外しを行うが、このような動く光が有ると、近くに来ているチヌが逃げてしまうため、一匹のチヌを釣り上げると、その場所では次のチヌをつり上げる事が難しいのが実情である。しかし本考案の釣針外し具を用いると、懐中電灯やヘッドライトを使用することなく、チヌの口の中だけを選択的に照らして適切な釣針外しを手際よく短時間に行うことが可能となった。使用方法は実施例１に示したとおり、本考案の釣針外し具の先端窓部分にチヌのかかった糸を通して釣針外し具をチヌの口の中に推し進め、この状態で手元把持部にある光源の電源を入れると、口の中だけが明るくなり、その状態で釣針外し具を更に推し進めると、急に抵抗が無くなった。そこで糸を手元に引いて緊張を持たせつつ釣針外し具を引き出すと、針はチヌの口から他の部分にかかる事無く一度で外すことができた。この間、約８秒であった。このようにして同じ場所で一晩の約２時間で７匹のチヌをつり上げることができ、いずれのチヌも翌日、生け簀の中で元気であった。この結果、ライトガイド方式の本考案釣針外し具を使用することで魚への損傷を最小限に押さえることが可能であることが判ったのみならず、漁場にいる未釣り上げの魚を不要な光で刺激することないことから、同じ場所で次々と魚を釣り上げることができるというメリットが明らかとなった。
【産業上の利用可能性】
【００２９】
単純な構造のため安価で作成することができ、壊れにくく、取り扱い性に優れる針はずし器具である。これを用いることによって、つり上げた魚への損傷を最小限に抑えられる。そのため、釣りをスポーツとして捉え、つり上げた魚をその場で戻すcatch and releaseに最適であると同時に、食用にする魚においては、活かすことによって鮮度を維持したまま持ち帰ることが可能となるばかりか、針を喉の奥に残すような、その後の調理において危険な状況の発生を未然に回避することが出来る。更には夜釣りにおいては、ヘッドライトや懐中電灯などの不要な光で漁場の魚を刺激し、荒らす事無く釣りを楽しむことが出来るため、夜も昼も、釣針外しの広い範囲において利用価値が高い。
【図面の簡単な説明】
【００３０】
【図１】本考案の釣針外し具の斜視図。
【図２】屈曲部の屈曲角度測定説明図。
【図３】本考案の釣針外し具の窓に釣り針を貫通した状態図。
【図４】魚の喉に釣針外し具を挿入する説明図。
【図５】釣針外し具によって外された釣針の先端を示した説明図。
【図６】釣針外し具によって釣針が外される状態を示した平面図。
【符号の説明】
【００３１】
１  釣針外し具本体    ２  釣針    ３  釣り糸    ４  ガイド溝    ５  窓
６  手元把持部    ７  湾曲部をもつ細長い篦状部分    ８  針先
θ  屈曲部の屈曲角度  
【図１】
0003137746.tif 000003
【図２】
0003137746.tif 000004
【図３】
0003137746.tif 000005
【図４】
0003137746.tif 000006
【図５】
0003137746.tif 000007
【図６】
0003137746.tif 000008